(57)【要約】【課題】サイフォン現象による充分な排水能力を発揮しやすくする。【解決手段】漏斗１６は、水平方向に延び端部が軒樋１１に連結される本体部１７と、本体部１７の底壁部２４に形成された落し口２４ａから下方に延びる垂下筒部１８と、本体部１７の平面視において落し口２４ａに重なる網部材５０と、を備え、垂下筒部１８は、底壁部２４における落し口２４ａの開口周縁部に連なる大径部１９と、大径部１９の下端部に連なり、下方に向かうに従い縮径する縮径部２０と、縮径部２０の下端部に連なる小径部２１と、大径部１９と縮径部２０とを接続する第１接続部２９と、縮径部２０と小径部２１とを接続する第２接続部３０と、を備え、垂下筒部１８の軸線を含む縦断面Ｓ１において、第２接続部３０が、垂下筒部１８の径方向の内側に向けて凸をなす曲線状に形成され、網部材５０の平面視における開口率は、５０％以上９９％以下である。【選択図】図２
2019138083.tif 000002
【特許請求の範囲】
【請求項１】
水平方向に延び端部が軒樋に連結される本体部と、
前記本体部の底壁部に形成された落し口から下方に延びる垂下筒部と、
前記本体部の平面視において前記落し口に重なる網部材と、を備え、
前記垂下筒部は、
前記底壁部における前記落し口の開口周縁部に連なる大径部と、
前記大径部の下端部に連なり、下方に向かうに従い縮径する縮径部と、
前記縮径部の下端部に連なる小径部と、
前記大径部と前記縮径部とを接続する第１接続部と、
前記縮径部と前記小径部とを接続する第２接続部と、を備え、
前記垂下筒部の軸線を含む縦断面において、前記第２接続部が、前記垂下筒部の径方向の内側に向けて凸をなす曲線状に形成され、
前記網部材の前記平面視における開口率は、５０％以上９９％以下である漏斗。
【請求項２】
前記縦断面において、前記第１接続部が、前記径方向の外側に向けて凸をなす曲線状に形成されている請求項１に記載の漏斗。
【請求項３】
請求項１または２に記載の漏斗を備えるサイフォン雨樋システム。
【発明の詳細な説明】
【技術分野】
【０００１】
本発明は、漏斗及びサイフォン雨樋システムに関する。
【背景技術】
【０００２】
一般に、建築物には、屋根から流れ落ちる雨水を受け止め、地上へと流し込むための雨樋が設けられる。雨樋は、軒樋、漏斗（じょうご、集水器）、呼び樋、竪樋、連結管、エルボ継手、チーズ継手等の部材が複数組みあわされて構成される。近年、雨樋の排水能力を高めるために、竪樋の内部を満水状態にすることによって、水の吸引作用（いわゆる、サイフォン現象）を発生させ、排水量を飛躍的に増大させるサイフォン雨樋システムが提案されている。
【０００３】
例えば、特許文献１に開示されたサイフォン式雨水排水装置では、軒先に取付けられた軒樋の底部に、サイフォン管の上端が接続される。このサイフォン管は、家屋の外壁材に沿って上下方向に設けられる。
【先行技術文献】
【特許文献】
【０００４】
【特許文献１】特開２００４−３０８３９９号公報
【発明の概要】
【発明が解決しようとする課題】
【０００５】
しかしながら、特許文献１のサイフォン式雨水排水装置では、排水装置の内部を流れる雨水が流れる速度が低下すると、サイフォン現象による充分な排水能力を発揮することが困難になる。
【０００６】
本発明は、このような問題点に鑑みてなされたものであって、サイフォン現象による充分な排水能力を発揮しやすくした漏斗、及びこの漏斗を備えるサイフォン式雨水排水装置を提供することを目的とする。
【課題を解決するための手段】
【０００７】
前記課題を解決するために、本発明は以下の手段を提案している。
本発明の一態様に係る漏斗は、水平方向に延び端部が軒樋に連結される本体部と、前記本体部の底壁部に形成された落し口から下方に延びる垂下筒部と、前記本体部の平面視において前記落し口に重なる網部材と、を備え、前記垂下筒部は、前記底壁部における前記落し口の開口周縁部に連なる大径部と、前記大径部の下端部に連なり、下方に向かうに従い縮径する縮径部と、前記縮径部の下端部に連なる小径部と、前記大径部と前記縮径部とを接続する第１接続部と、前記縮径部と前記小径部とを接続する第２接続部と、を備え、前記垂下筒部の軸線を含む縦断面において、前記第２接続部が、前記垂下筒部の径方向の内側に向けて凸をなす曲線状に形成され、前記網部材の前記平面視における開口率は、５０％以上９９％以下である。
【０００８】
漏斗の本体部から落し口を通して垂下筒部内に流れ込んだ雨水は、大径部、第１接続部、縮径部および第２接続部を通して小径部に流れ込む。この漏斗では、第２接続部が、前記縦断面において、径方向の内側に向けて凸をなす曲線状に形成されている。そのため、例えば、第２接続部が、前記縦断面において、径方向の内側に向けて凸をなす角形状に形成されている場合などに比べて、第２接続部内を流れる雨水の流れの変化が緩やかになる。このため、例えば、第２接続部内を流れる雨水に圧力損失が生じることが抑えられ、第２接続部内を流れる雨水の速度が低下しにくくなる。従って、サイフォン現象による充分な排水能力を漏斗が発揮しやすくすることができる。
ところで、サイフォン現象による排水能力が発揮されると、例えば、本体部内の異物（例えば、落ち葉など）が、雨水とともに落し口から垂下筒部内に流入し、垂下筒部を通過するおそれがある。この漏斗では、網部材が、前記平面視において落し口に重なる。これにより、異物が垂下筒部を通過することを網部材によって規制することができる。
しかもこの漏斗では、網部材の前記平面視における開口率が５０％以上９９％以下である。したがって、異物が垂下筒部を通過することを確実に規制しつつ、サイフォン現象による排水能力も確実に発揮させることができる。すなわち、前記開口率が５０％より小さいと、網部材の前記平面視における開口面積が小さくなりすぎ、サイフォン現象による排水能力が発揮し難くなるおそれがある。一方、前記開口率が９９％より大きいと、網部材の前記平面視における開口面積が大きくなりすぎ、異物が垂下筒部を通過することを規制し難くなるおそれがある。
【０００９】
前記縦断面において、前記第１接続部が、前記径方向の外側に向けて凸をなす曲線状に形成されていてもよい。
【００１０】
前記縦断面において、第１接続部が、径方向の外側に向けて凸をなす曲線状に形成されている。したがって、例えば、第１接続部が、前記縦断面において、径方向の内側に向けて凸をなす角形状に形成されている場合などに比べて、第１接続部内を流れる雨水の流れの変化が緩やかになり、第１接続部内に渦等が生じにくくなる。これにより、例えば、第１接続部内を流れる雨水に圧力損失が生じるのが抑えられ、漏斗が、サイフォン現象による充分な排水能力をさらに発揮させやすくすることができる。
また、前記縦断面において、第１接続部が、径方向の外側に向けて凸をなす曲線状に形成されていることで、漏斗が外力を受けても第１接続部に応力が集中しにくくなり、この第１接続部が破断し難くなる。
【００１１】
本発明の一態様に係るサイフォン雨樋システムは、前記漏斗を備える。
【発明の効果】
【００１２】
本発明によれば、サイフォン現象による充分な排水能力を発揮しやすくすることができる。
【図面の簡単な説明】
【００１３】
【図１】本発明の一実施形態のサイフォン式雨水排水装置を、その一部を破断して側面視した図である。
【図２】図１中の切断線Ａ１−Ａ１の断面図である。
【図３】図１における本体部のうち網部材を含む部分の平面図である。
【図４】図３における要部の拡大図である。
【図５】検証試験に利用する試験装置を説明する側面図である。
【図６】検証試験における条件および結果を示す表およびグラフである。
【発明を実施するための形態】
【００１４】
以下、本発明に係るサイフォン雨樋システムの一実施形態を、図１から図７を参照しながら説明する。
図１及び図２に示すように、本実施形態のサイフォン雨樋システム１は、軒樋１１と、本実施形態の漏斗１６と、第１エルボ継手３６と、呼び樋４１と、第２エルボ継手４６と、竪樋５６と、を備えている。なお、図２では、説明の便宜のために、漏斗１６に対して第１エルボ継手３６及び呼び樋４１が取付けられる向きを、上下方向Ｄ１に沿う軸線周りに９０°回転させて示している。
【００１５】
軒樋１１は、図示しない建築物の屋根の軒下に固定されている。軒樋１１は、上方に向かって開口している。軒樋１１は、ほぼ水平面に沿って配置されている。軒樋１１は、漏斗１６に連結される端部が漏斗１６に連結されない端部よりも下方に位置し、軒樋１１が水勾配（例えば、１／３００）程度傾くように配置されている。なお、サイフォン雨樋システム１に漏斗１６が複数設けられる場合には、漏斗１６の間の軒樋１１の長さは３０ｍ以下とされる。また、サイフォン雨樋システム１に漏斗１６が１つ設けられる場合には、軒樋１１の端部（止り）から漏斗１６までの距離が１５ｍ以下とされる。
漏斗１６は、軒樋１１と竪樋５６とを、第１エルボ継手３６、呼び樋４１、及び第２エルボ継手４６を介して接続している。漏斗１６は、本体部１７と、垂下筒部１８と、網部材５０と、を備えている。
本体部１７は、水平方向（後述する延在方向Ｄ２）に延び端部が軒樋１１に連結される。本体部１７は、底壁部２４と、側壁部２５，２６と、を備えている。底壁部２４は、厚さ方向が上下方向Ｄ１に沿うように配置されている。底壁部２４は、屋根の外縁部に沿う延在方向Ｄ２に沿って延びている。延在方向Ｄ２は、水平面に沿う方向である。
底壁部２４の中央部には、底壁部２４を上下方向Ｄ１に貫通する貫通孔である落し口２４ａが形成されている。落し口２４ａは、平面視において円形状や楕円形状に限られるものではなく、例えば、四角形状（例えば、正方形状や長方形状）等であってもよい。
【００１６】
側壁部２５，２６は、底壁部２４における、上下方向Ｄ１及び延在方向Ｄ２にそれぞれ直交する幅方向Ｄ３の端部にそれぞれ立設している。側壁部２５，２６は、底壁部２４の延在方向Ｄ２の全長にわたって形成されている。側壁部２５，２６間の距離は、上方に向かうに従い漸次大きくなる。
底壁部２４及び側壁部２５，２６により、本体部１７に上方が開口した凹部１７ａが形成されている。凹部１７ａは、延在方向Ｄ２に延びるように形成されている。
図２に示すように、本体部１７の延在方向Ｄ２の両端部内には、軒樋１１が配置されている。本体部１７の端部内に軒樋１１が配置されていることにより、本体部１７と軒樋１１とが連結されている。この例では、軒樋１１は本体部１７に固定されていない。このため、軒樋１１の伸縮等により、本体部１７に対して軒樋１１が延在方向Ｄ２に移動できる。
【００１７】
図２に示すように、垂下筒部１８は、落し口２４ａから下方に延びる。垂下筒部１８は、大径筒部１９（大径部）と、縮径部２０と、小径筒部２１（小径部）と、第１接続部２９と、第２接続部３０と、を備えている。
本実施形態では、縮径部２０は円環状に形成され、大径筒部１９及び小径筒部２１はそれぞれ円筒状に形成されている。縮径部２０及び筒部１９，２１の軸線は、共通軸と同軸に配置されている。以下、この共通軸を軸線Ｏ（垂下筒部１８の軸線）と言う。軸線Ｏ方向から見た平面視において、軸線Ｏに直交する方向を径方向といい、軸線Ｏ周りに周回する方向を周方向という。
【００１８】
大径筒部１９の上端部は、底壁部２４における落し口２４ａの開口周縁部に連なっている。大径筒部１９は、本体部１７から下方に向かって延びている。
縮径部２０は、大径筒部１９の下端部に連なり、下方に向かうに従い縮径する。縮径部２０は、下方に向かうに従い漸次、内径及び外径がそれぞれ小さくなるように形成されている。縮径部２０の上端部は、大径筒部１９の下端部に連なり、縮径部２０は、大径筒部１９から下方に向かって延びている。
第１接続部２９は、大径筒部１９と縮径部２０との接続部分である。軸線Ｏを含む断面Ｓ１（縦断面）において、第１接続部２９は、径方向の外側に向けて凸をなす曲線状に形成されている。断面Ｓ１において、第１接続部２９の内周面は、外側（軸線Ｏとは反対側）に向かって凹むように湾曲している。断面Ｓ１において、第１接続部２９の外周面は、外側に向かって凸となるように湾曲している。第１接続部２９の内周面は、大径筒部１９の内周面、及び縮径部２０の内周面にそれぞれ滑らかに連なっていることが好ましい。
【００１９】
小径筒部２１は、縮径部２０の下端部に連なる。小径筒部２１の外径、内径は、大径筒部１９の外径、内径よりもそれぞれ小さく形成されている。小径筒部２１の上端部は縮径部２０の下端部に連なり、小径筒部２１は縮径部２０から下方に向かって延びている。
第２接続部３０は、縮径部２０と小径筒部２１との接続部分である。断面Ｓ１において、第２接続部３０は、径方向の内側に向けて凸をなす曲線状に形成されている。断面Ｓ１において、第２接続部３０の内周面は、内側（軸線Ｏ側）に向かって凸となるように湾曲している。断面Ｓ１において、第２接続部３０の外周面は、内側に向かって凹むように湾曲している。第２接続部３０の内周面は、縮径部２０の内周面、及び小径筒部２１の内周面にそれぞれ滑らかに連なっていることが好ましい。
【００２０】
網部材５０は、本体部１７内の異物が垂下筒部１８内を通過して漏斗１６の下流側（竪樋５６）に到達することを規制する。図３に示すように、網部材５０は、本体部１７の平面視において落し口２４ａに重なる。ここで、本体部１７の平面視は、本体部１７を、軸線Ｏ方向から見た平面視を意味する。言い換えると、本体部１７の平面視は、排水勾配の有無によらず一定の見方であり、本体部１７を、底壁部２４に対して略直交する方向から見る見方を意味する。
【００２１】
本実施形態では、網部材５０は、本体部１７内に配置され、かつ、本体部１７の平面視において落し口２４ａの全体に重なる。その結果、網部材５０は、本体部１７内の異物が垂下筒部１８内に進入することを規制する。なお網部材５０が、垂下筒部１８内に配置され、かつ、本体部１７の平面視において落し口２４ａの全体または一部に重なっていてもよい。
【００２２】
網部材５０は、複数の線状部６０によって一体に形成されている。なお複数の線状部６０全体（網部材５０）は、同一の材料（例えば合成樹脂）により一体成型される。
図２に示すように、網部材５０は、全体として有頂筒状に形成されている。網部材５０は、軸線Ｏと同軸に配置されている。網部材５０は、頂壁部５１と、周壁部５２と、を備えている。
【００２３】
頂壁部５１は、上方に向けて凸をなす球面状に形成されている。図３に示すように、頂壁部５１は、落し口２４ａよりも大径である。頂壁部５１は、複数の線状部６０により形成されている。頂壁部５１は、線状部６０として、第１線状部６１ａと、第２線状部６１ｂと、第３線状部６１ｃと、を備えている。
【００２４】
第１線状部６１ａは、頂壁部５１の外周縁を形成している。第１線状部６１ａは、円環状に形成されている。
第２線状部６１ｂおよび第３線状部６１ｃは、前記平面視において、第１線状部６１ａの内側に配置されている。第２線状部６１ｂおよび第３線状部６１ｃは、前記平面視において互いに直交する２方向に延びている。第２線状部６１ｂおよび第３線状部６１ｃは、前記平面視において、第１線状部６１ａの内側に格子状の網目を形成している。
【００２５】
前記平面視において、第１線状部６１ａ、第２線状部６１ｂおよび第３線状部６１ｃの間に位置する部分には、第１開口部６１ｄが形成されている。第１開口部６１ｄは、頂壁部５１に形成された開口部である。第１開口部６１ｄは、上下方向Ｄ１（軸線Ｏ方向）に開口する。前記平面視において、第１開口部６１ｄは、四角形状（矩形状）に形成されている。
【００２６】
図２に示すように、周壁部５２は、頂壁部５１の外周縁（第１線状部６１ａ）から下方に向けて延びる。周壁部５２の下端部は、本体部１７の底壁部２４上に配置される。周壁部５２は、複数の線状部６０により形成されている。周壁部５２は、線状部６０として、第４線状部６２ａを備えている。第４線状部６２ａは、周方向に間隔をあけて複数配置されている。第４線状部６２ａは、上下方向Ｄ１（軸線Ｏ方向）に真直に延びている。第４線状部６２ａは、第２線状部６１ｂまたは第３線状部６１ｃの端部と周方向に対応する位置に配置されている。
【００２７】
周方向に隣り合う第４線状部６２ａの間に位置する部分には、第２開口部６２ｄが形成されている。第２開口部６２ｄは、周壁部５２に形成された開口部である。第２開口部６２ｄは、径方向に開口する。
なお図３に示すように、周壁部５２の下端部には、フランジ部５３が設けられている。フランジ部５３は、周壁部５２から径方向の外側に向けて突出している。フランジ部５３は、本体部１７の底壁部２４上に配置され、底壁部２４に固着されている。
【００２８】
そして本実施形態では、網部材５０の前記平面視における開口率が、５０％以上９９％以下である。前記開口率は、好ましくは６０％以上９０％以下であり、より好ましくは７０％以上８５％以下である。ここで前記開口率は、前記平面視における頂壁部５１の開口率とも言える。言い換えると、前記開口率は、前記平面視における頂壁部５１全体の面積Ａに対する、前記平面視における第１開口部６１ｄの総面積Ｂの割合Ｂ／Ａである。前記面積Ａは、前記平面視において第１線状部６１ａの外周縁よりも内側に位置する部分の面積である。前記総面積Ｂは、前記面積Ａから、線状部６０（第１線状部６１ａ、第２線状部６１ｂ、第３線状部６１ｃ）の総面積を除いた面積である。
【００２９】
例えば、前記平面視において、第１開口部６１ｄが全域にわたって正方形状に形成されている場合（図４参照）、前記開口率εは、下記式で算出される。
【００３０】
【数１】
2019138083.tif 000003
【００３１】
なお上記数式中、ｄは線径（ｍｍ）、Ａは目開き（ｍｍ）を表す。これらの線径ｄおよび目開きＡの各数値は、線状部６０や第１開口部６１ｄを、軸線Ｏ（大径筒部１９（垂下筒部１８）の軸線）と直交する平面（仮想の平面）に投影したときの大きさである。
【００３２】
なお網部材５０は、前述したように前記平面視において落し口２４ａに重なっている。そのため、前記開口率が高いと、網部材５０の開口部６１ｄ、６２ｄのうち前記平面視において落し口２４ａに重なる部分（図３にハッチングで示す重複部分５５）の面積（開口面積）大きくなる。一方、前記開口率が高いと、前記重複部分５５の面積が小さくなる。
【００３３】
図２に示すように、第１エルボ継手３６は、曲管部３７と、曲管部３７の両端部に設けられた受け口３８，３９と、を備えている。曲管部３７は、側面視で中心角がほぼ９０°になるように湾曲している。受け口３８は曲管部３７の第１端部に連なり、受け口３９は曲管部３７の第２端部に連なっている。なお、曲管部３７は側面視で中心角が９０°以上であってもよく、１３５°などとしてもよい。
受け口３８の内径は、曲管部３７の内径及び小径筒部２１の外径よりも大きく、大径筒部１９の外径よりも小さい。受け口３９は、受け口３８と同様に構成されている。
受け口３８内には漏斗１６の小径筒部２１が挿入され、受け口３８と小径筒部２１とは図示しない接着剤等により固定されている。
【００３４】
図１に示すように、呼び樋４１は、直管状に形成されている。呼び樋４１は、幅方向Ｄ３に沿って延びるか、第１エルボ継手３６から離間するに従い漸次、水勾配程度にわずかに下方に傾いている。呼び樋４１の第１端部は、第１エルボ継手３６の受け口３９内に挿入され、受け口３９と呼び樋４１とは図示しない接着剤等により固定されている。
第２エルボ継手４６は、第１エルボ継手３６の曲管部３７、受け口３８，３９と同様に構成された、曲管部４７、受け口４８，４９を備えている。受け口４８内には呼び樋４１の第２端部が挿入され、受け口４８と呼び樋４１とは図示しない接着剤等により固定されている。
【００３５】
竪樋５６は、直管状に形成され、上下方向Ｄ１に沿って延びている。竪樋５６の第１端部は、第２エルボ継手４６の受け口４９内に挿入され、受け口４９と竪樋５６とは図示しない接着剤等により固定されている。竪樋５６の上下方向Ｄ１の長さは２ｍ以上とし、３ｍ以上であることが好ましい。ここで、竪樋５６の長さとは、サイフォン雨樋システム１が呼び樋４１を備える場合には、第２エルボ継手４６より下流側に位置する竪樋５６の上下方向の距離を指す。また、サイフォン雨樋システム１が呼び樋４１を備えない場合には、竪樋５６における漏斗１６との接続部分までの上下方向の距離を指す。
呼び樋４１は、軒樋１１に設けられた漏斗１６から流下した雨水を水平に導水する。呼び樋４１の一端側は、第１エルボ継手３６によって漏斗１６の下端に接続される。呼び樋４１の他端側は、第２エルボ継手４６によって竪樋５６の上端に接続される。呼び樋４１の水平方向の距離は１．５ｍ以下とし、１ｍ以下であることが好ましい。ここで、呼び樋４１の水平方向の距離とは、漏斗１６の小径筒部２１の中心（垂下筒部１８の軸線Ｏ）から竪樋５６の中心軸までの、呼び樋４１を含む水平方向の距離を指す。
軒樋１１、漏斗１６、第１エルボ継手３６、呼び樋４１、第２エルボ継手４６、及び竪樋５６は、塩化ビニル等の樹脂で形成されていることが好ましく、特に硬質塩化ビニルで形成されていることが好ましい。
【００３６】
竪樋５６の第２端部は、地面Ｇに接続され、地中に埋設された公知の集水マス１０１に接続されている。集水マス１０１の幅方向Ｄ３の長さは、竪樋５６の外径よりも長い。
集水マス１０１は、連結管１０２を介して、下水管等の排水構造１０３に接続されている。
【００３７】
次に、以上のように構成されたサイフォン雨樋システム１の動作について説明する。
建築物の屋根に雨水が降ると、その雨水は、屋根に沿って流れ落ちてサイフォン雨樋システム１の軒樋１１を介して漏斗１６内に流れ込む。漏斗１６における本体部１７に流れ込んだ雨水の一部は、落し口２４ａを通して垂下筒部１８内に流れ込む。
【００３８】
このとき雨水は、大径筒部１９内を通して第１接続部２９内に流れ込む。第１接続部２９の内周面が外側に向かって凹むように湾曲しているため、第１接続部２９の内周面が、角部が形成されるように凹んでいる場合等に比べて、第１接続部２９内を流れる雨水の流れの変化が緩やかになり、第１接続部２９内に渦等が生じにくくなる。また、第１接続部２９の内周面が、角部が形成されるように凹んでいる場合等に比べて、漏斗１６に作用する外力による応力が第１接続部２９に集中しにくくなる。なお、ここで言うと角部は、例えば、２本の直線の端部同士が連結されることにより形成される形状のことを意味する。
第１接続部２９内を通った雨水は、縮径部２０内を通して第２接続部３０内に流れ込む。第２接続部３０の内周面は内側に向かって凸となるように湾曲しているため、第２接続部３０の内周面に内側に向かって凸となる角部が形成されている場合等に比べて、第２接続部３０内を流れる雨水の流れの変化が緩やかになる。
【００３９】
漏斗１６の小径筒部２１内から第１エルボ継手３６、呼び樋４１、第２エルボ継手４６、及び竪樋５６内を流れる雨水は、集水マス１０１内に流れ込む。さらにこの雨水は、連結管１０２を介して排水構造１０３内に流れ込んで適宜処理される。
このとき、例えば雨水の流量が一定値以上になる等して、サイフォン雨樋システム１内が雨水で満水状態になり、サイフォン現象が発生したとする。この場合において、漏斗１６の第１接続部２９の内周面、及び第２接続部３０の内周面が前述のように形成されているため、漏斗１６の接続部２８，２９，３０内を流れる雨水の速度が低下しにくくなる。
【００４０】
以上説明したように、本実施形態の漏斗１６によれば、漏斗１６の本体部１７から落し口２４ａを通して垂下筒部１８内に流れ込んだ雨水は、大径筒部１９、第１接続部２９、縮径部２０および第２接続部３０を通して小径筒部２１に流れ込む。この漏斗１６では、第２接続部３０が、前記縦断面Ｓ１において、径方向の内側に向けて凸をなす曲線状に形成されている。そのため、例えば、第２接続部３０が、前記縦断面Ｓ１において、径方向の内側に向けて凸をなす角形状に形成されている場合などに比べて、第２接続部３０内を流れる雨水の流れの変化が緩やかになる。このため、例えば、第２接続部３０内を流れる雨水に圧力損失が生じることが抑えられ、第２接続部３０内を流れる雨水の速度が低下しにくくなる。従って、サイフォン現象による充分な排水能力を漏斗１６が発揮しやすくすることができる。
【００４１】
ところで、サイフォン現象による排水能力が発揮されると、例えば、本体部１７内の異物（例えば、落ち葉など）が、雨水とともに落し口２４ａから垂下筒部１８内に流入し、垂下筒部１８を通過して竪樋５６に到達するおそれがある。この漏斗１６では、網部材５０が、前記平面視において落し口２４ａに重なる。これにより、異物が垂下筒部１８を通過することを網部材５０によって規制することができる。
【００４２】
しかもこの漏斗１６では、網部材５０の前記平面視における開口率が５０％以上９９％以下である。したがって、異物が垂下筒部１８を通過することを確実に規制しつつ、サイフォン現象による排水能力も確実に発揮させることができる。すなわち、前記開口率が５０％より小さいと、網部材５０の前記平面視における開口面積が小さくなりすぎ、サイフォン現象による排水能力が発揮し難くなるおそれがある。一方、前記開口率が９９％より大きいと、網部材５０の前記平面視における開口面積が大きくなりすぎ、異物が垂下筒部１８を通過することを規制し難くなるおそれがある。
【００４３】
前記縦断面Ｓ１において、第１接続部２９が、径方向の外側に向けて凸をなす曲線状に形成されている。したがって、例えば、第１接続部２９が、前記縦断面Ｓ１において、径方向の内側に向けて凸をなす角形状に形成されている場合などに比べて、第１接続部２９内を流れる雨水の流れの変化が緩やかになり、第１接続部２９内に渦等が生じにくくなる。これにより、例えば、第１接続部２９内を流れる雨水に圧力損失が生じるのが抑えられ、漏斗１６が、サイフォン現象による充分な排水能力をさらに発揮させやすくすることができる。
【００４４】
また、前記縦断面Ｓ１において、第１接続部２９が、径方向の外側に向けて凸をなす曲線状に形成されていることで、漏斗１６が外力を受けても第１接続部２９に応力が集中しにくくなり、この第１接続部２９が破断し難くなる。
【００４５】
また、本実施形態のサイフォン雨樋システム１によれば、サイフォン現象による充分な排水能力を発揮しやすくした漏斗１６を用いてサイフォン雨樋システム１を構成することができる。
【００４６】
次に、上記した作用効果を検証した検証試験について説明する。
検証試験では、前記実施形態に係るサイフォン雨樋システム１に対して、網部材５０を除いて同様となる図５に示すような試験装置１Ａを採用した。この試験装置１Ａでは、網部材５０が本体部１７や垂下筒部１８に対して着脱自在とされている。
この試験装置１Ａを利用し、網部材５０の形状や位置を変化させた複数の場合それぞれにおいて、内部を雨水で満水状態にしてサイフォン現象を発生させ、このときの本体部１７内の水位を測定した。言い換えると、それぞれの場合における排水性能を確認した。
【００４７】
本体部１７内の水位は、第１地点Ｐ１から第３地点Ｐ３の３か所で測定した。第１地点Ｐ１は、垂下筒部１８（の軸線Ｏ）から延在方向Ｄ２（水平方向）に０．４ｍ離れている。第２地点Ｐ２は、垂下筒部１８から延在方向Ｄ２に４ｍ離れている。第３地点Ｐ３は、垂下筒部１８から延在方向Ｄ２に８ｍ離れている。
【００４８】
網部材５０に関する条件および結果をまとめた表およびグラフを図６に示す。
網部材５０に関する条件は、条件Ａから条件Ｈとした。
条件Ａでは、網部材５０を設けていない。
条件Ｂでは、網部材５０を本体部１７内に設けた（高さ「高」）。このとき、網部材５０によって落し口２４ａの全体を覆った。前記開口率は、８２．６％である。
条件Ｃでは、網部材５０を大径筒部１９内に設けた（高さ「低」）。網部材５０の外径（網径）は、条件Ａと同等である。前記開口率は、８０．４％である。
条件Ｄでは、網部材５０を本体部１７内に設けた。網部材５０の外径は、条件Ｂよりも小さい。前記開口率は、７７％である。
条件Ｅでは、網部材５０を大径筒部１９内に設けた。網部材５０の外径は、条件Ｄと同等であり、条件Ｃよりも小さい。前記開口率は、７７％である。
条件Ｆでは、網部材５０の粗さ以外は条件Ｅと同等である。網部材５０の粗さは、条件Ｅよりも粗く、前記開口率は、条件Ｅよりも高い。前記開口率は、７９％である。
条件Ｇでは、網部材５０を大径筒部１９内に設けた。網部材５０の外径は、条件Ｅよりも小さい。前記開口率は、２５％である。
条件Ｈでは、網部材５０の粗さ以外は条件Ｇと同等である。網部材５０の粗さは、条件Ｇよりも粗く、前記開口率は、条件Ｇよりも高い。前記開口率は、６４％である。
【００４９】
条件ＡからＨについて、検証試験を実施したところ、結果は図６に示すグラフのようになった。
条件ＡからＣでは、２０Ｌ／ｓｅｃの流量であっても、水位が１４０ｍｍ以内に抑えられ、排水性能が十分に確保されていることが確認された。
条件ＤからＦ、Ｈでは、２０Ｌ／ｓｅｃの流量では水位が１４０ｍｍを超えるものの、１８Ｌ／ｓｅｃの流量では水位が１４０ｍｍ以内に抑えられ、排水性能が確保されていることが確認された。
条件Ｇでは、水位が１４０ｍｍ以内に抑えられる流量の上限が９Ｌ／ｓｅｃの流量であり、排水性能が確保しにくいことが確認された。
【００５０】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、第１接続部２９の内周面が外側に向かって凹むように湾曲していなく、角部が形成されるように凹んでいてもよい。
【符号の説明】
【００５１】
１     サイフォン雨樋システム
１１   軒樋
１６   漏斗
１７   本体部
１８   垂下筒部
１９   大径筒部（大径部）
２０   縮径部
２１   小径筒部（小径部）
２４   底壁部
２４ａ 落し口
２９   第１接続部
３０   第２接続部
５０   網部材
６０   線状部
Ｏ     軸線
Ｓ１   断面（縦断面）
【図１】
2019138083.tif 000004
【図２】
2019138083.tif 000005
【図３】
2019138083.tif 000006
【図４】
2019138083.tif 000007
【図５】
2019138083.tif 000008
【図６】
2019138083.tif 000009